(57)【要約】【課題】提供先に応じた情報が決められたフィールド毎に正しく印刷されているかどうかを容易に検査する。【解決手段】コンテンツ情報がコンテンツ情報データベース８２に登録される際に、２種類の情報が決められたパターンで組み合わされてなる第１のフォント情報をコンテンツ情報毎に付与してコンテンツ情報データベース２８に登録するフォント情報付与部５０を設け、この第１のフォント情報が付与されたコンテンツ情報を印字する際、このコンテンツ情報に対応づけて設定され、第１のフォント情報を構成する２種類の情報が反転したパターンを有してなる第２のフォント情報を第１のフォント情報に重なるように印刷する。【選択図】  図１
2004299225.tif 000002
【特許請求の範囲】
【請求項１】
複数のフィールドからなる印刷物を作製する印刷物作製システムであって、
前記印刷物に印刷される提供情報に、２種類の情報が該提供情報毎に決められたパターンで組み合わされてなる第１の識別情報を付与する識別情報付与手段と、
前記印刷物の提供先に応じた、前記第１の識別情報が付与された複数の提供情報を前記複数のフィールドにそれぞれ配置することにより、前記印刷物に印刷される印刷データを編集する編集手段と、
前記提供情報毎に、該提供情報に付与された前記第１の識別情報に対して前記２種類の情報が反転してなるパターンで組み合わされてなる第２の識別情報を対応づけて設定しておき、前記提供先に応じた提供情報に設定された前記第２の識別情報を、前記編集手段にて編集された印刷データに含まれる前記第１の識別情報に重ね合わせて印刷する印字手段とを有することを特徴とする印刷物作製システム。
【請求項２】
請求項１に記載の印刷物作製システムにおいて、
前記識別情報付与手段は、前記提供情報が他の提供情報と隣接して配置されるものである場合に、当該提供情報が前記複数のフィールドに配置された場合に該フィールドに隣接する領域と、前記他の提供情報が配置されたフィールドに隣接する領域とに配置されるように前記提供情報に２つの第１の識別情報を付与し、
前記編集手段は、前記提供情報を互いに隣接して配置することにより、前記２つの第１の識別情報のうち一方の第１の識別情報を、前記提供情報との重なりあるいは印刷枠によって除去することを特徴とする印刷物作製システム。
【請求項３】
請求項１または請求項２に記載の印刷物作製システムにおいて、
前記編集手段にて前記第１の識別情報と前記第２の識別情報とが重ね合わされて前記印字手段にて印刷された検査情報を読み取ることにより、前記提供情報が所定のフィールドに配置されているかどうかを検査する検査手段と、
前記検査手段における検査処理の後、前記検査情報が印刷された領域を切り落とす断裁手段とを有することを特徴とする印刷物作製システム。
【請求項４】
請求項１乃至３のいずれか１項に記載の印刷物作製システムにおいて、
前記第１及び第２の識別情報のパターンを構成する２種類の情報のうち少なくとも１つは、前記提供情報を印刷する際に用いる複数の色による混合色であることを特徴とする印刷物作製システム。
【発明の詳細な説明】
【０００１】
【発明の属する技術分野】
本発明は、複数のフィールドからなる印刷物を作製する印刷物作製システムに関する。
【０００２】
【従来の技術】
近年、印刷システムの性能向上に伴い、いわゆるオンデマンド印刷と呼ばれる処理が可能となっており、それを用いて、複数の顧客に対してそれぞれ同一または異なる内容の印刷物を作製して配布することが行われるようになってきている。
【０００３】
例えば、個人を対象とした通信教育の教材について、通信教育の受講者毎のカリキュラムや進捗状況に合わせたテキストが作製され、配送されている。この場合、通信教育の受講者毎にテキストが作製されることになるが、その効率化を図るために、テキストに掲載されるデータをデータベース化しておき、受講者毎のカリキュラムや進捗状況に基づいて、テキストに掲載されるデータやそのレイアウト等を検索し、レイアウトに従って紙面上にデータを割り振り、印刷処理を行う技術が考えられている（例えば、特許文献１参照。）。
【０００４】
また、クレジットカード等の利用明細書においては、利用者に送付される際、利用明細書の他にチラシ等の印刷物が同封される場合があり、その場合においても、近年、利用者毎に異なるチラシ等の印刷物を同封することが行われている。利用者毎に異なる印刷物を作製する場合は、利用者の属性情報や嗜好情報に基づいてチラシに掲載される内容が決められ、印刷物を作製するための印刷データが生成されることになる。
【０００５】
上述したような印刷システムにおいては、印刷物の提供先に応じた情報を印刷物に掲載することになるため、提供先に応じた情報が正しく印刷されているかどうかを検査する必要があり、そのために、印刷物の頁毎にバーコード情報を印刷しておき、このバーコード情報を読み取ることによって、提供先に応じた情報が正しく印刷されているかどうかを検査する方法が考えられている（例えば、特許文献２参照。）。
【０００６】
【特許文献１】
特開２００２−４６３１４号公報
【特許文献２】
特開２００２−４６３６５号公報
【０００７】
【発明が解決しようとする課題】
ここで、上述したような印刷システムにおいては、印刷物に掲載される内容によっては、印刷物の紙面が複数のフィールドに分割され、フィールド毎に異なる情報が掲載されることになる。そのため、印刷物の頁毎にバーコード情報を印刷しておき、このバーコード情報を読み取ることによって、提供先に応じた情報が正しく印刷されているかどうかを検査する方法だけでは、分割されたフィールドのそれぞれに、予め設定された情報が正しく印刷されているかどうかを検査することができないという問題点がある。
【０００８】
そこで、分割されたフィールドそれぞれに識別情報を記述するとともに、このフィールドに印刷される情報に、同一あるいは関連性のある識別情報を埋め込んでおき、これらを照合することにより、フィールド毎に決められた情報が割り振られているかどうかを検査する技術が考えられているが、この技術においては、フィールドに印刷される情報に識別情報を埋め込むという高度な技術が必要となってしまう。
【０００９】
本発明は、上述したような従来の技術が有する問題点に鑑みてなされたものであって、複数のフィールドに分割され、フィールド毎に異なる情報が印刷される印刷物に対して、提供先に応じた情報がフィールド毎に正しく印刷されているかどうかを容易に検査することができる印刷物作製システムを提供することを目的とする。
【００１０】
【課題を解決するための手段】
上記目的を達成するために本発明は、
複数のフィールドからなる印刷物を作製する印刷物作製システムであって、
前記印刷物に印刷される提供情報に、２種類の情報が該提供情報毎に決められたパターンで組み合わされてなる第１の識別情報を付与する識別情報付与手段と、
前記印刷物の提供先に応じた、前記第１の識別情報が付与された複数の提供情報を前記複数のフィールドにそれぞれ配置することにより、前記印刷物に印刷される印刷データを編集する編集手段と、
前記提供情報毎に、該提供情報に付与された前記第１の識別情報に対して前記２種類の情報が反転してなるパターンで組み合わされてなる第２の識別情報を対応づけて設定しておき、前記提供先に応じた提供情報に設定された前記第２の識別情報を、前記編集手段にて編集された印刷データに含まれる前記第１の識別情報に重ね合わせて印刷する印字手段とを有することを特徴とする。
【００１１】
また、前記識別情報付与手段は、前記提供情報が他の提供情報と隣接して配置されるものである場合に、当該提供情報が前記複数のフィールドに配置された場合に該フィールドに隣接する領域と、前記他の提供情報が配置されたフィールドに隣接する領域とに配置されるように前記提供情報に２つの第１の識別情報を付与し、
前記編集手段は、前記提供情報を互いに隣接して配置することにより、前記２つの第１の識別情報のうち一方の第１の識別情報を、前記提供情報との重なりあるいは印刷枠によって除去することを特徴とする。
【００１２】
また、前記編集手段にて前記第１の識別情報と前記第２の識別情報とが重ね合わされて前記印字手段にて印刷された検査情報を読み取ることにより、前記提供情報が所定のフィールドに配置されているかどうかを検査する検査手段と、
前記検査手段における検査処理の後、前記検査情報が印刷された領域を切り落とす断裁手段とを有することを特徴とする。
【００１３】
また、前記第１及び第２の識別情報のパターンを構成する２種類の情報のうち少なくとも１つは、前記提供情報を印刷する際に用いる複数の色による混合色であることを特徴とする。
【００１４】
（作用）
上記のように構成された本発明においては、識別情報付与手段において、印刷物に印刷される提供情報に、２種類の情報が該提供情報毎に決められたパターンで組み合わされてなる第１の識別情報が予め付与され、また、印字手段において、この提供情報に付与された第１の識別情報に対して２種類の情報が反転してなるパターンで組み合わされてなる第２の識別情報が第１の識別情報が付与された提供情報毎に予め設定されている。この第１の識別情報が付与された提供情報が複数のフィールドに配置、印刷された印刷物が作製される場合、まず、編集手段において、印刷物の提供先に関する情報に応じた、第１の識別情報が付与された複数の提供情報が複数のフィールドにそれぞれ配置されることにより、印刷物に印刷される印刷データが編集され、その後、印字手段において、提供先に応じた提供情報に設定された第２の識別情報が、編集手段にて編集された印刷データに含まれる第１の識別情報に重ね合わされて印刷されることになる。そのため、提供情報が印刷された印刷物には、第１の識別情報と第２の識別情報とが重ね合わされた検査情報が印刷されることになるが、第１の識別情報と第２の識別情報とは、提供情報毎に決められたパターンを構成する２種類の情報が互いに反転した状態となっているため、これらが重ね合わされた場合、１種類の情報によって検査情報が表現されることになる。そこで、この検査情報を検出することにより、検査情報が１種類の情報によって表現されている場合は、提供情報が決められたフィールドに配置されていると判断され、また、検査情報の一部にて他の領域とは異なる種類の情報が表現されている場合は、提供情報が決められたフィールドに配置されていないと判断される。
【００１５】
このように、提供情報毎に付与された第１の識別情報と、この提供情報毎に設定され、第１の識別情報を構成する２種類の情報が反転してなるパターンからなる第２の識別情報とを重ね合わせることにより、第１の識別情報が付与された提供情報が決められたフィールドに印刷されているかどうかが判断されるので、複数のフィールドに分割され、フィールド毎に異なる情報が印刷される印刷物に対して、提供先に応じた情報がフィールド毎に正しく印刷されているかどうかを容易に検査することができる。
【００１６】
また、識別情報付与手段にて、提供情報が他の提供情報と隣接して配置されるものである場合に、当該提供情報が複数のフィールドに配置された場合に該フィールドに隣接する領域と、他の提供情報が配置されたフィールドに隣接する領域とに配置されるように提供情報に２つの第１の識別情報を付与し、編集手段にて、提供情報を互いに隣接して配置することにより、２つの第１の識別情報のうち一方の第１の識別情報を、提供情報との重なりあるいは印刷枠によって除去すれば、隣接して配置される提供情報についても、第１及び第２の識別情報が重ね合わされて印刷される検査情報が提供情報に重なるように印刷されることがなく、提供情報が閲覧しにくくなったり、検査情報が読み取り不可能となってしまうことがなくなる。
【００１７】
また、検査手段における検査情報の検査処理の後、検査情報が印刷された領域を切り落とせば、提供先に提供される印刷物には検査情報が印刷されていないことになり、検査情報によって印刷物の美観を損ねてしまうことがなくなる。
【００１８】
また、第１及び第２の識別情報のパターンを構成する２種類の情報のうち少なくとも１つを、提供情報を印刷する際に用いる複数の色による混合色とすれば、第１の識別情報と第２の識別情報とが重ね合わされた場合に、検査情報が、２種類の情報を構成する色の全ての混合色となっているかどうかによって、提供先に応じて予め設定された提供情報が所定のフィールドに印刷されているかどうかを確認することができるとともに、検査情報の色によって、提供情報を印刷する際に用いる色の品質管理も行うことができる。
【００１９】
【発明の実施の形態】
以下に、本発明の実施の形態について図面を参照して説明する。
【００２０】
図１は、本発明の印刷物作製システムの実施の一形態を示す図である。
【００２１】
本形態は図１に示すように、印刷物の提供先となる顧客を特定するための顧客特定部１０と、顧客特定部１０にて特定された顧客に関する情報を顧客情報データベース８１から検索する顧客情報検索部２０と、顧客情報特定部１０にて特定された顧客に提供すべきコンテンツ情報をコンテンツ情報データベース８２から検索するコンテンツ情報検索部３０と、テキストデータや画像データからなるコンテンツ情報に２種類の情報が決められたパターンで組み合わされてなる第１の識別情報である第１のフォント情報をコンテンツ情報毎に付与してコンテンツ情報データベース２８に登録する識別情報付与手段であるフォント情報付与部５０と、コンテンツ情報検索部３０にてコンテンツ情報データベース８２から検索されたコンテンツ情報と、該コンテンツ情報に付与された第１のフォント情報とを用いて印刷データを編集する編集手段である印刷データ編集部４０と、印刷データ編集部４０にて編集された印刷データに、第１のフォント情報を構成する２種類の情報が反転したパターンを有してなる第２の識別情報である第２のフォント情報を重ね合わせて印刷する印字部６０と、印字部６０にて印刷データが印刷された印刷物に含まれる第１及び第２のフォント情報からなる検査情報を読み取ることにより、コンテンツ情報が所定のフィールドに印刷されているかどうかを検査する検査部７０とから構成されている。
【００２２】
以下に、上記のように構成された印刷物作製システムにおける印刷物の作製方法について説明する。
【００２３】
図２は、図１に示した印刷物作製システムにおける印刷物の作製方法の一例を説明するためのフローチャートである。
【００２４】
まず、テキストデータや画像データからなるコンテンツ情報をコンテンツ情報データベース８２に登録する際、フォント情報付与部５０において、２種類の情報がコンテンツ情報毎に決められたパターンで組み合わされてなる第１のフォント情報がコンテンツ情報毎に付与され（ステップＳ１）、第１のフォント情報が付与された状態でコンテンツ情報がコンテンツ情報データベース８２に登録される（ステップＳ２）。
【００２５】
図３は、図１に示したコンテンツ情報データベース８１に登録されたコンテンツ情報の一例を示す図である。
【００２６】
図３に示すように、本形態にてコンテンツ情報データベース８１に登録されたコンテンツ情報１にはコンテンツ情報１毎に固有のフォント情報２が付与されている。このフォント情報２は、２種類の情報となる塗りつぶしの有無がフォント情報に決められたパターンで組み合わされて構成されており、このパターンはコンテンツ情報１毎に異なるようにフォント情報付与部５０にて決められ、そのパターンからなるフォント情報がコンテンツ情報に付与されている。
【００２７】
その後、顧客情報データベース８１に登録された顧客情報に応じたコンテンツ情報が印刷された印刷物を作製する場合は、まず、顧客特定部１０にて、印刷物の提供先となる顧客が特定される（ステップＳ３）。ここで、顧客情報データベース８１には、顧客の氏名や年齢、性別、住所等の属性情報等の情報が、顧客を識別可能な顧客ＩＤと対応づけられて登録されており、顧客特定部１０においては、顧客の氏名や顧客ＩＤを用いて顧客の特定を行うことが考えられる。また、顧客毎に、コンテンツ情報データベース８２に登録されたコンテンツ情報のうち、提供すべきコンテンツ情報を識別可能なコンテンツＩＤが、提供される印刷物における印字領域を示す情報とともに顧客情報データベース８２に登録されている。
【００２８】
顧客特定部１０にて顧客が特定されると、顧客情報検索部２０において、顧客情報データベース８１の中から、顧客特定部１０にて特定された顧客に関する情報が検索される（ステップＳ４）。
【００２９】
顧客情報検索部２０にて顧客情報データベース８１から検索された顧客情報はコンテンツ情報検索部３０に送られ、コンテンツ情報検索部３０において、コンテンツ情報データベース８２の中から、顧客情報検索部２０から送られてきた顧客情報に含まれるコンテンツＩＤによってコンテンツ情報が検索される（ステップＳ５）。ここで、コンテンツ情報データベース８２には、印刷物に印刷されるコンテンツ情報がコンテンツＩＤと対応づけられて登録されている。
【００３０】
次に、印刷データ編集部４０において、コンテンツ情報検索部３０にてコンテンツ情報データベース８２から検索されたコンテンツ情報と、該コンテンツ情報に付与された第１のフォント情報とを用いて印刷データが編集される（ステップＳ６）。
【００３１】
次に、印字部６０において、印刷データ編集部４０にて編集された印刷データが印刷される（ステップＳ７）。ここで、印字部６０においては、コンテンツ情報データベース８２に登録されたコンテンツ情報毎に、フォント情報付与部５０にてコンテンツ情報に付与された第１のフォント情報を構成する２種類の情報が反転したパターンを有してなる第２の識別情報である第２のフォント情報が設定されている。この第２のフォント情報は、コンテンツＩＤに対応づけられて設定されている。
【００３２】
図４は、図１に示した印字部６０にて、図３に示したコンテンツ情報１を識別可能なコンテンツＩＤに対応づけられた第２のフォント情報を示す図である。
【００３３】
図１に示した印字部６０にて、図３に示したコンテンツ情報１を識別可能なコンテンツＩＤに対応づけられたフォント情報は図４に示すように、図３に示したフォント情報２のパターンを構成する２種類の情報となる塗りつぶしの有無が反転したパターンを有している。
【００３４】
印刷部６０においては、顧客情報データベース８１が参照され、設定された第２のフォント情報のうち、印字部６０にて印字される印刷物の提供先に応じたコンテンツＩＤに対応づけられた第２のフォント情報が認識され、その第２のフォント情報が、印刷データ編集部４０にて編集された印刷データに重なり合うように印刷物が印刷される。ここで、印刷データ編集部４０にて編集された印刷データと印字部６０にて認識された第２のフォント情報とが重なり合うように印刷されると、図３に示したようなフォント情報２と図４に示したようなフォント情報３とが重ね合わされることになるが、図３に示したようなフォント情報２と図４に示したようなフォント情報３とは、そのパターンを構成する２種類の情報となる塗りつぶしの有無が互いに反転したものであるため、それらが重ね合わされた場合、フォント情報２とフォント情報３とが重ね合わされた領域全体が塗りつぶされた状態となり、１種類の情報のみによって表現されることになる。
【００３５】
図５は、図１に示した印刷物作製システムにてコンテンツ情報が印刷された印刷物の一例を示す図である。
【００３６】
本形態における印刷物４は図５に示すように、分割された３つのフィールドのそれぞれにコンテンツ情報５ａ〜５ｃが印刷されているとともに、コンテンツ情報５ａ〜５ｃが印刷されたフィールドに隣接する領域に、コンテンツ情報データベース８２にてコンテンツ情報５ａ〜５ｃに付与されて登録された第１のフォント情報と、印字部６０に設定された第２のフォント情報のうち、コンテンツ情報５ａ〜５ｃを識別可能なコンテンツＩＤと対応づけられた第２のフォント情報とが重なり合って構成される検査情報６が印刷されている。なお、コンテンツ情報５ａ〜５ｃにおいては、顧客情報検索部２０にて顧客情報データベース８１から検索された顧客情報に応じてその掲載順序が決まるものとする。
【００３７】
また、このフィールドの数は、コンテンツ情報検索部３０にてコンテンツ情報データベース８２から検索されたコンテンツ情報の数によって決まるが、コンテンツ情報検索部３０にてコンテンツ情報データベース８２から検索されたコンテンツ情報の数によっては、印刷物の紙面に余白が生じる場合がある。その場合、印刷データ編集部４０においては、その余白の大きさに応じて、コンテンツ情報とは異なる情報を含めるような印刷データの編集が行われる。この情報は、顧客情報に基づく情報ではなく、印刷物の提供先に共通な情報とすることが考えられる。
【００３８】
その後、検査部７０において、検査情報６を読み取ることによって、分割されたフィールドのそれぞれについて、提供先に応じて予め設定されたコンテンツ情報が正しく印刷されているかどうかが確認されることになる（ステップＳ８）。ここで、検査情報６においては、上述したように、コンテンツ情報データベース８２にてコンテンツ情報５ａ〜５ｃに付与されて登録された第１のフォント情報と、印字部６０にてコンテンツ情報５ａ〜５ｃを識別可能なコンテンツＩＤと対応づけられた第２のフォント情報とがそのパターンを構成する２種類の情報が互いに反転したものであることから、１つのコンテンツ情報に対応する第１のフォント情報と第２のフォント情報とが正しく重ね合わされた場合、１種類の情報によって検査情報６が表現されることになる。そのため、検査情報６が１種類の情報によって表現される場合、例えば、本例においては、検査情報６の全ての領域が塗りつぶされた領域となる場合は、その検査情報６の隣接するフィールドに、提供先に応じて予め設定されたコンテンツ情報が正しく印刷されていると判断されることになる。また、コンテンツ情報データベース８２にてコンテンツ情報５ａ〜５ｃに付与されて登録された第１のフォント情報と、印字部６０にてコンテンツ情報５ａ〜５ｃを識別可能なコンテンツＩＤと対応づけられた第２のフォント情報とが正しく重ね合わされない場合は、パターンを構成する情報の一部において、第１のフォント情報と第２のフォント情報とで情報が反転しない領域が存在し、それにより、検査情報６の一部において他の領域とは異なる情報が表現されてしまうことになる。例えば、本例においては、第１のフォント情報にて塗りつぶされていない領域と第２のフォント情報にて塗りつぶされていない領域とが重ね合わされると、検査情報６の一部において塗りつぶされない領域が存在してしまう。このように、検査情報６の一部において塗りつぶされない領域が存在する場合は、その検査情報６の隣接するフィールドに、提供先に応じて予め設定されたコンテンツ情報が正しく印刷されていないと判断されることになる（ステップＳ９）。
【００３９】
図６及び図７は、図１に示したコンテンツ情報データベース８２にてコンテンツ情報５ａ〜５ｃに付与されて登録された第１のフォント情報と、印字部６０にてコンテンツ情報５ａ〜５ｃを識別可能なコンテンツＩＤと対応づけられた第２のフォント情報との具体例を示す図である。
【００４０】
例えば図６に示すように、コンテンツ情報データベース８２にてコンテンツ情報５ａ〜５ｃに付与されて登録される第１のフォント情報２を、その塗りつぶしパターンによって１６進表記（０〜９，Ａ〜Ｆ）が表現されるように構成することが考えられる。その場合、第１のフォント情報２をコンテンツ情報データベース８２に登録する際に、第１のフォント情報２の塗りつぶしパターンによってその照合パターンを目視にて判別することができる。
【００４１】
また、図７に示すように、コンテンツ情報データベース８２にてコンテンツ情報５ａ〜５ｃに付与されて登録される第１のフォント情報２を、その塗りつぶし領域が千鳥状となるように構成することが考えられる。この場合、第１及び第２のフォント情報を表現するために分割される領域数を少ない領域数とすることができる。
【００４２】
ステップＳ９にて提供先に応じて予め設定されたコンテンツ情報が所定のフィールドに印刷されていることが確認された場合であって、その印刷物に綴じ合わされる他の印刷物が存在する場合は（ステップＳ１０）、これらの印刷物が綴じ合わされて冊子化され（ステップＳ１１）、その後、検査情報６が印刷された領域が断裁手段（不図示）によって断裁される（ステップＳ１２）。
【００４３】
一方、ステップＳ９において、提供先に応じて予め設定されたコンテンツ情報が所定のフィールドに印刷されていないと判断された場合は、その旨が出力され、処理が中断する（ステップＳ１３）。
【００４４】
上述したような一連の処理は、例えば、個人を対象とした通信教育の教材の印刷方法に適用可能である。その場合、顧客情報データベース８１には、通信教育の受講者のカリキュラムや進捗状況が登録されており、また、コンテンツ情報データベース８２には、テキストに掲載される問題等のデータが登録されていることになる。
【００４５】
図８は、図１に示した印刷物作製システムにおける印刷物の作製方法の一例を説明するためのフローチャートである。
【００４６】
まず、テキストデータや画像データからなるコンテンツ情報をコンテンツ情報データベース８２に登録する際、フォント情報付与部５０において、２種類の情報がコンテンツ情報毎に決められたパターンで組み合わされてなる第１のフォント情報がコンテンツ情報毎に付与され（ステップＳ１０１）、第１のフォント情報が付与された状態でコンテンツ情報がコンテンツ情報データベース８２に登録される（ステップＳ１０２）。
【００４７】
その後、顧客情報データベース８１に登録された顧客情報に応じたコンテンツ情報が印刷された印刷物を作製する場合は、まず、顧客特定部１０にて、印刷物の提供先となる顧客が特定される（ステップＳ１０３）。ここで、顧客情報データベース８１には、顧客の氏名や年齢、性別、住所等の属性情報等の情報が、顧客を識別可能な顧客ＩＤと対応づけられて登録されており、顧客特定部１０においては、顧客の氏名や顧客ＩＤを用いて顧客の特定を行うことが考えられる。また、顧客毎に、コンテンツ情報データベース８２に登録されたコンテンツ情報のうち、提供すべきコンテンツ情報を識別可能なコンテンツＩＤが、提供される印刷物における印字領域を示す情報とともに顧客情報データベース８２に登録されている。
【００４８】
顧客特定部１０にて顧客が特定されると、顧客情報検索部２０において、顧客情報データベース８１の中から、顧客特定部１０にて特定された顧客に関する情報が検索される（ステップＳ１０４）。
【００４９】
顧客情報検索部２０にて顧客情報データベース８１から検索された顧客情報はコンテンツ情報検索部３０に送られ、コンテンツ情報検索部３０において、コンテンツ情報データベース８２の中から、顧客情報検索部２０から送られてきた顧客情報に含まれるコンテンツＩＤによってコンテンツ情報が検索される（ステップＳ１０５）。ここで、コンテンツ情報データベース８２には、印刷物に印刷されるコンテンツ情報がコンテンツＩＤと対応づけられて登録されている。
【００５０】
次に、印刷データ編集部４０において、コンテンツ情報検索部３０にてコンテンツ情報データベース８２から検索されたコンテンツ情報と、該コンテンツ情報に付与された第１のフォント情報とを用いて印刷データが編集される（ステップＳ１０６）。
【００５１】
次に、印字部６０において、印刷データ編集部４０にて編集された印刷データが印刷される（ステップＳ１０７）。ここで、印字部６０においては、コンテンツ情報データベース８２に登録されたコンテンツ情報毎に、フォント情報付与部５０にてコンテンツ情報に付与された第１のフォント情報を構成する２種類の情報が反転したパターンを有してなる第２の識別情報である第２のフォント情報が設定されている。この第２のフォント情報は、コンテンツＩＤに対応づけられて設定されている。
【００５２】
図９は、図１に示した印刷物作製システムにてコンテンツ情報が印刷された印刷物の一例を示す図である。
【００５３】
本形態における印刷物１０４は図９に示すように、分割された４つのフィールドのそれぞれにコンテンツ情報１０５ａ〜１０５ｄが印刷されているとともに、コンテンツ情報１０５ａ，１０５ｂ，１０５ｄが印刷されたフィールドに隣接する領域に、コンテンツ情報データベース８２にコンテンツ情報１０５ａ〜１０５ｄに付与されて登録された第１のフォント情報と、印字部６０にて設定された第２のフォント情報のうち、コンテンツ情報１０５ａ〜１０５ｃを識別可能なコンテンツＩＤと対応づけられた第２のフォント情報とが重なり合って構成される検査情報１０６が印刷されている。なお、コンテンツ情報１０５ａ〜１０５ｄにおいては、顧客情報検索部２０にて顧客情報データベース８１から検索された顧客情報に応じてその掲載順序が決まるものとする。
【００５４】
また、このフィールドの数は、コンテンツ情報検索部３０にてコンテンツ情報データベース８２から検索されたコンテンツ情報の数によって決まるが、コンテンツ情報検索部３０にてコンテンツ情報データベース８２から検索されたコンテンツ情報の数によっては、印刷物の紙面に余白が生じる場合がある。その場合、印刷データ編集部４０においては、その余白の大きさに応じて、コンテンツ情報とは異なる情報を含めるような印刷データの編集が行われる。この情報は、顧客情報に基づく情報ではなく、印刷物の提供先に共通な情報とすることが考えられる。
【００５５】
また、本形態においては、コンテンツ情報１０５ｃとコンテンツ情報１０５ｄとが互いに隣接するように印刷されている。このように、他のコンテンツ情報と隣接するように配置され、印刷されるコンテンツ情報においては、フォント情報付与部５０において、第１のフォント情報が複数の領域に配置されるように付与されることになる。
【００５６】
図１０は、図１に示したフォント情報付与部５０にて、他のコンテンツ情報と隣接するように配置されるコンテンツ情報に付与されるフォント情報について説明するための図である。
【００５７】
図１０に示すように、フォント情報付与部５０においては、他のコンテンツ情報と隣接するように配置されるコンテンツ情報に対しては、そのコンテンツ情報に隣接する領域と、該領域側に他のコンテンツ情報が隣接して配置された場合に他のコンテンツ情報に隣接する領域とに、フォント情報１０２ａ，１０２ｂがそれぞれ付与され、フォント情報１０２ａ，１０２ｂが付与された状態でコンテンツ情報１０５ｃがコンテンツ情報データベース８２に登録される。これにより、コンテンツ情報１０５ｃが図中左側に配置される場合は、他のコンテンツ情報がフォント情報１０２ｂ上に重ね合わされることによってフォント情報１０２ｂが除去されてフォント情報１０２ａがコンテンツ情報１０５ｃのフォント情報として印刷され、また、コンテンツ情報１０５ｃが図中右側に配置される場合は、印刷枠によってフォント情報１０２ａが除去されてフォント情報１０２ｂがコンテンツ情報１０５ｃのフォント情報として印刷されることになる。また、フォント情報１０２ａとフォント情報１０２ｂとは、コンテンツ情報１０５ｃ及びフォント情報１０２ａ，１０２ｂが含まれる領域内にて図中上側及び下側にてそれぞれ配置されており、それにより、コンテンツ情報１０５ｃが図中左側に配置された場合は、図中上側にて第１のフォント情報と第２のフォント情報とが重ね合わされることになり、その領域にてコンテンツ情報１０５ｃが正しく配置されているかどうかが検査され、また、コンテンツ情報１０５ｃが図中右側に配置された場合は、図中下側にて第１のフォント情報と第２のフォント情報とが重ね合わされることになり、その領域にてコンテンツ情報１０５ｃが正しく配置されているかどうかが検査されることになる。
【００５８】
その後、検査部７０において、検査情報１０６を読み取ることによって、分割されたフィールドのそれぞれについて、提供先に応じて予め設定されたコンテンツ情報が正しく印刷されているかどうかが確認されることになる（ステップＳ１０８）。ここで、検査情報１０６においては、上述したように、コンテンツ情報データベース８２にてコンテンツ情報１０５ａ〜１０５ｄに付与されて登録された第１のフォント情報と、印字部６０にてコンテンツ情報１０５ａ〜１０５ｄを識別可能なコンテンツＩＤと対応づけられた第２のフォント情報とがそのパターンを構成する２種類の情報が互いに反転したものであることから、１つのコンテンツ情報に対応する第１のフォント情報と第２のフォント情報とが正しく重ね合わされた場合、１種類の情報によって検査情報１０６が表現されることになる。そのため、検査情報１０６が１種類の情報によって表現される場合、例えば、本例においては、検査情報１０６の全ての領域が塗りつぶされた領域となる場合は、その検査情報１０６の隣接するフィールドに、提供先に応じて予め設定されたコンテンツ情報が正しく印刷されていると判断されることになる。また、コンテンツ情報データベース８２にてコンテンツ情報１０５ａ〜１０５ｄに付与されて登録された第１のフォント情報と、印字部６０にてコンテンツ情報１０５ａ〜１０５ｄを識別可能なコンテンツＩＤと対応づけられた第２のフォント情報とが正しく重ね合わされない場合は、パターンを構成する情報の一部において、第１のフォント情報と第２のフォント情報とで情報が反転しない領域が存在し、それにより、検査情報１０６の一部において他の領域とは異なる情報が表現されてしまうことになる。例えば、本例においては、第１のフォント情報にて塗りつぶされていない領域と第２のフォント情報にて塗りつぶされていない領域とが重ね合わされると、検査情報１０６の一部において塗りつぶされない領域が存在してしまう。このように、検査情報１０６の一部において塗りつぶされない領域が存在する場合は、その検査情報１０６の隣接するフィールドに、提供先に応じて予め設定されたコンテンツ情報が正しく印刷されていないと判断されることになる（ステップＳ１０９）。
【００５９】
なお、本例においても、図６あるいは図７に示したような第１及び第２のフォント情報を用いて検査情報１０６を表現することも考えられる。
【００６０】
ステップＳ１０９において、提供先に応じて予め設定されたコンテンツ情報が所定の領域に印刷されていることが確認された場合は、検査情報１０６が印刷された領域が断裁手段（不図示）によって断裁され（ステップＳ１１０）、また、提供先に応じて予め設定されたコンテンツ情報が所定の領域に印刷されていないと判断された場合は、その旨が出力され、処理が中断する（ステップＳ１１１）。
【００６１】
その後、その印刷物に丁合する他の印刷物が存在する場合は（ステップＳ１１２）、これらの印刷物が丁合され（ステップＳ１１３）、封筒に封入、封緘され（ステップＳ１１４）、提供先に発送される（ステップＳ１１５）。
【００６２】
上述したような一連の処理は、例えば、クレジットカード等の利用明細書に同封されるチラシ等の印刷方法に適用可能である。
【００６３】
なお、本形態においては、第１及び第２のフォント情報が、塗りつぶしの有無による２種類の情報がコンテンツ情報毎に決められたパターンで組み合わされてなる場合を例に挙げて説明したが、その他に、例えば、２種類の情報のうち、少なくとも１種類の情報を、コンテンツ情報を印刷する際に用いる複数のインクによる混合色とし、第１のフォント情報と第２のフォント情報とが重ね合わされた場合に、検査情報が、２種類の情報を構成する色の全ての混合色となっているかどうかを検査することによって、提供先に応じて予め設定されたコンテンツ情報が所定のフィールドに印刷されているかどうかを確認することも考えられる。その場合、検査情報の色によって、コンテンツ情報を印刷する際に用いる色の品質管理も行うことができる。
【００６４】
【発明の効果】
以上説明したように本発明においては、複数のフィールドからなる印刷物を作製する印刷物作製システムにおいて、印刷物に印刷される提供情報に、２種類の情報が該提供情報毎に決められたパターンで組み合わされてなる第１の識別情報を付与する識別情報付与手段と、印刷物の提供先に応じた、第１の識別情報が付与された複数の提供情報を複数のフィールドにそれぞれ配置することにより、印刷物に印刷される印刷データを編集する編集手段と、前記提供情報毎に、該提供情報に付与された前記第１の識別情報に対して前記２種類の情報が反転してなるパターンで組み合わされてなる第２の識別情報を対応づけて設定しておき、前記提供先に応じた提供情報に設定された前記第２の識別情報を、編集手段にて編集された印刷データに含まれる前記第１の識別情報に重ね合わせて印刷する印字手段と設け、提供情報毎に付与された第１の識別情報と、この提供情報毎に設定され、第１の識別情報を構成する２種類の情報が反転してなるパターンからなる第２の識別情報とを重ね合わせることにより、第１の識別情報が付与された提供情報が決められたフィールドに印刷されているかどうかが判断される構成としたため、複数のフィールドに分割され、フィールド毎に異なる情報が印刷される印刷物に対して、提供先に応じた情報がフィールド毎に正しく印刷されているかどうかを容易に検査することができる。
【００６５】
また、識別情報付与手段にて、提供情報が他の提供情報と隣接して配置されるものである場合に、当該提供情報が複数のフィールドに配置された場合に該フィールドに隣接する領域と、他の提供情報が配置されたフィールドに隣接する領域とに配置されるように提供情報に２つの第１の識別情報を付与し、編集手段にて、提供情報を互いに隣接して配置することにより、２つの第１の識別情報のうち一方の第１の識別情報を、提供情報との重なりあるいは印刷枠によって除去する構成としたものにおいては、隣接して配置される提供情報についても、第１及び第２の識別情報が重ね合わされて印刷される検査情報が提供情報に重なるように印刷されることがなく、提供情報が閲覧しにくくなったり、検査情報が読み取り不可能となってしまうことがなくなる。
【００６６】
また、編集手段にて第１の識別情報と第２の識別情報とが重ね合わされて印字手段にて印刷された検査情報を読み取ることにより、提供情報が所定のフィールドに配置されているかどうかを検査する検査手段と、検査手段における検査処理の後、検査情報が印刷された領域を切り落とす断裁手段とを有する構成としたものにおいては、提供先に提供される印刷物には検査情報が印刷されていないことになり、検査情報によって印刷物の美観を損ねてしまうことがなくなる。
【００６７】
また、第１及び第２の識別情報のパターンを構成する２種類の情報のうち少なくとも１つが、提供情報を印刷する際に用いる複数の色による混合色である構成としたものにおいては、第１の識別情報と第２の識別情報とが重ね合わされた場合に、検査情報が、２種類の情報を構成する色の全ての混合色となっているかどうかによって、提供先に応じて予め設定された提供情報が所定のフィールドに印刷されているかどうかを確認することができるとともに、検査情報の色によって、提供情報を印刷する際に用いる色の品質管理も行うことができる。
【図面の簡単な説明】
【図１】本発明の印刷物作製システムの実施の一形態を示す図である。
【図２】図１に示した印刷物作製システムにおける印刷物の作製方法の一例を説明するためのフローチャートである。
【図３】図１に示したコンテンツ情報データベースに登録されたコンテンツ情報の一例を示す図である。
【図４】図１に示した印刷部にて、図３に示したコンテンツ情報を識別可能なコンテンツＩＤに対応づけられた第２のフォント情報を示す図である。
【図５】図１に示した印刷物作製システムにてコンテンツ情報が印刷された印刷物の一例を示す図である。
【図６】図１に示したコンテンツ情報データベースにてコンテンツ情報に付与されて登録された第１のフォント情報と、印刷部にてコンテンツ情報を識別可能なコンテンツＩＤと対応づけられた第２のフォント情報との具体例を示す図である。
【図７】図１に示したコンテンツ情報データベースにてコンテンツ情報に付与されて登録された第１のフォント情報と、コンテンツ情報検索部のテーブルにてコンテンツ情報を識別可能なコンテンツＩＤと対応づけられた第２のフォント情報との具体例を示す図である。
【図８】図１に示した印刷物作製システムにおける印刷物の作製方法の一例を説明するためのフローチャートである。
【図９】図１に示した印刷物作製システムにてコンテンツ情報が印刷された印刷物の一例を示す図である。
【図１０】図１に示したフォント情報付与部にて、他のコンテンツ情報と隣接するように配置されるコンテンツ情報に付与されるフォント情報について説明するための図である。
【符号の説明】
１，５ａ〜５ｃ，１０５ａ〜１０５ｄ    コンテンツ情報
２，３    フォント情報
４，１０４    印刷物
６，１０６    検査情報
１０    顧客特定部
２０    顧客情報検索部
３０    コンテンツ情報検索部
４０    印刷データ編集部
５０    フォント情報付与部
６０    印字部
７０    検査部
８１    顧客情報データベース
８２    コンテンツ情報データベース
【図１】
2004299225.tif 000003
【図２】
2004299225.tif 000004
【図３】
2004299225.tif 000005
【図４】
2004299225.tif 000006
【図５】
2004299225.tif 000007
【図６】
2004299225.tif 000008
【図７】
2004299225.tif 000009
【図８】
2004299225.tif 000010
【図９】
2004299225.tif 000011
【図１０】
2004299225.tif 000012